(57)【要約】【課題】  作業負担を低減するとともに、車両のレイアウト自由度の向上に貢献できる車両用電気接続箱を提供する。【解決手段】  ヒューズを収容する収容容器に、ヒューズ毎に一対の接続端子が配設されてなり、前記収容室に収容されたヒューズを介して電源からの電気を車載機器に供給する、車両用電気接続箱である。この収容容器は、着脱不能にヒューズを予め装着してなる第一の収容室と、着脱自在にヒューズを装着可能な第二の収容室と、を有している。前記第一の収容室内に設けられた接続端子と、前記第二の収容室内に設けられた接続端子とを、電気的に並列に接続してなることを備える。【選択図】    図１
2006304434.tif 000002
【特許請求の範囲】
【請求項１】
ヒューズを収容する収容容器に、ヒューズ毎に一対の接続端子が配設されてなり、前記収容容器に収容されたヒューズを介して電源からの電気を車載機器に供給する、車両用電気接続箱において、
前記収容容器は、着脱不能にヒューズを予め装着してなる第一の収容室と、着脱自在にヒューズを装着可能な第二の収容室と、を有し、
前記第一の収容室内に設けられた接続端子と、前記第二の収容室内に設けられた接続端子とを、電気的に並列に接続してなることを特徴とする車両用電気接続箱。
【請求項２】
前記第一の収容室は、前記ヒューズを高さ方向に埋没させて収容する構成であることを特徴とする請求項１に記載の車両用電気接続箱。
【請求項３】
前記第一の収容室に収容された前記ヒューズを電気的に短絡させて溶断するための短絡手段が設けられていることを特徴とする請求項１または請求項２に記載の車両用電気接続箱。
【請求項４】
前記短絡手段は、車両外部に設けられた外部診断機に電源からの電力を供給するために設けられたコネクタを用いることを特徴とする請求項３に記載の車両用電気接続箱。
【発明の詳細な説明】
【技術分野】
【０００１】
本発明は、一対の接続端子が配設された収容容器にヒューズを収容する構成を備える車両用電気接続箱に関するものである。
【背景技術】
【０００２】
従来、車両の製造現場においては、車両内に搭載されている各車載機器の通電診断等の検査を行った後に、ディーラーへの引き渡しを行っている。一般に、車両は、車載機器として、時計やルームランプ等といったイグニッションスイッチの操作位置に関わらず常時電源からの電気の供給を受けるもの（常時作動車載機器と称す）を備えている。このため、車両製造後の検査以降、車両が長期間保管状態にあると、上述した常時作動車載機器に暗電流が流れ続けることにより、ディーラーに引き渡されたときには電源であるバッテリの電力が消費されてしまい、いわゆるバッテリ上がりが生じてしまう。
【０００３】
この対策として、常時作動車載機器と電源とを接続する電線にヒューズ（暗電流用ヒューズ）を介装しておき、検査員が検査終了後に暗電流用ヒューズを取り外して、車内のインストルメントパネル上に備わる灰皿等の所定の場所に一時保管し、ディーラにて車両販売時の引き渡しのための整備を行う際に再度ヒューズを装着させる技術が知られている。
【０００４】
さらに、この種の技術として、暗電流用ヒューズを電気的に接続する接続部と、前記暗電流用ヒューズを保管して収容する収容部とを備える暗電流用ヒューズハウジングを設けた電気接続箱を用いる技術が提案されている（特許文献１参照）。これによれば、取り外した暗電流用ヒューズを収容部に収容させることで置き忘れの防止が図られ、また、接続部に前記暗電流用ヒューズを再度取り付けることにより誤った容量のヒューズの取り付け防止を図っている。
【特許文献１】特開２０００−８２３７９号公報
【発明の開示】
【発明が解決しようとする課題】
【０００５】
しかしながら、従来の技術においては以下のような問題がある。
すなわち、従来の構造の電気接続箱においては、各種のヒューズの中から暗電流用ヒューズを選別して抜き出す作業が必要となる。このため、上述した作業員が誤って異なるヒューズを抜いてしまう等の事態を防止しつつ、抜き取り作業が煩雑にならないようにすることが要求される。その結果、設計段階でその電気接続箱周辺の作業用空間を確保するように電気接続箱を配置したり、この電気接続箱に接続される電線の配策作業が必要となり、車両のレイアウト自由度が制限されてしまうという問題がある。
【０００６】
従って、本発明は、作業負担を低減するとともに、車両のレイアウト自由度の向上に貢献できる電気接続箱を提供することを目的とする。
【課題を解決するための手段】
【０００７】
請求項１に係る発明は、ヒューズ（例えば、実施の形態におけるヒューズ５、６）を収容する収容容器（例えば、実施の形態におけるケーシング２）に、ヒューズ毎に一対の接続端子（例えば、実施の形態における接続端子３、３）が配設されてなり、前記収容容器に収容されたヒューズを介して電源（例えば、実施の形態におけるバッテリ４）からの電気を車載機器（例えば、実施の形態における常時作動車載機器９）に供給する、車両用電気接続箱において、前記収容容器は、着脱不能にヒューズ（例えば、実施の形態におけるヒューズ５）を予め装着してなる第一の収容室（例えば、実施の形態における第一の収容室７）と、着脱自在にヒューズ（例えば、実施の形態におけるヒューズ６）を装着可能な第二の収容室（例えば、実施の形態における第二の収容室８）と、を有し、前記第一の収容室内に設けられた接続端子と、前記第二の収容室内に設けられた接続端子とを、電気的に並列に接続してなることを特徴とする。
【０００８】
この発明によれば、前記第二の収容室にヒューズを未装着の状態で、前記第一の収容室に着脱不能に予め装着してなるヒューズを介して車載機器の検査を行った後、前記第一の収容室に装着されたヒューズを溶断させることで、前記車載機器と前記電源との導通が遮断される。従って、車両製造後の検査以降、車両が長期間保管状態にあった場合であっても、前記車載機器に暗電流が流れることを防止でき、ディーラーに引き渡されたときに第二の収容室にヒューズを装着すれば電源の電力を確保することができる。このように、前記第一の収容室へのヒューズの装着や取り外しの作業を行うことなく暗電流を防止できるので、作業負担を低減することができる。さらに、従来のような作業用空間の確保やそれに伴う配策作業が不要となり、車両のレイアウト自由度を向上することができる。
【０００９】
請求項２に係る発明は、請求項１に記載のものであって、前記第一の収容室は、前記ヒューズを高さ方向に埋没させて収容する構成であることを特徴とする。
この発明によれば、前記第一の収容室に収容されたヒューズは、外部に露出していないので、誤って引き抜かれる虞を防止でき、このヒューズを介した車載機器の検査処理や溶断処理を確実に行うことが可能となる。
【００１０】
請求項３に係る発明は、請求項１または請求項２に記載のものであって、前記第一の収容室に収容された前記ヒューズを電気的に短絡させて溶断するための短絡手段（例えば、実施の形態におけるコネクタ１２）が設けられていることを特徴とする。
この発明によれば、前記短絡手段を介して前記第一の収容室に収容されたヒューズを溶断することができるので、前記ヒューズの溶断を容易かつ確実に行うことが可能となる。
【００１１】
請求項４に係る発明は、請求項３に記載のものであって、前記短絡手段は、車両外部に設けられた外部診断機（例えば、実施の形態における外部診断機１４）に電源からの電力を供給するために設けられたコネクタ（例えば、実施の形態におけるコネクタ２２）を用いることを特徴とする。
この発明によれば、前記外部診断機に電源からの電力を供給するコネクタを、前記第一の収容室に収容されたヒューズを溶断させる短絡手段として用いることで、溶断用の手段を別途備える必要がなくなり、その分搭載スペースの低減に寄与することができる。
【発明の効果】
【００１２】
請求項１に係る発明によれば、前記第一の収容室へのヒューズの装着や取り外しの作業を行うことなく暗電流を防止できるので、作業負担を低減することができ、従来のような作業用空間の確保やそれに伴う配策作業が不要となり、車両のレイアウト自由度を向上することができる。
【００１３】
請求項２に係る発明によれば、前記第一の収容室に収容されたヒューズを介した車載機器の検査処理や溶断処理を確実に行うことが可能となる。
請求項３に係る発明によれば、前記第一の収容室に収容されたヒューズの溶断を容易かつ確実に行うことが可能となる。
請求項４に係る発明によれば、溶断用の手段を別途備える必要がなくなり、その分搭載スペースの低減に寄与することができる。
【発明を実施するための最良の形態】
【００１４】
以下、本発明の一実施形態に係る電気接続箱について添付図面を参照しながら説明する。図１は本発明の一実施形態に係る電気接続箱の回路構成を示す説明図である。同図に示すように、車両用電気接続箱１は、車両用の電源であるバッテリ４と各種の車載機器９とを接続する電線１１と、この電線１１の接続・遮断を行うためのヒューズ６、７、１０とを、ケーシング２内に備えている。バッテリ４に接続された電線１１には、第一の収容室７と、第二の収容室８とが電気的に並列に設けられている。これらの収容室７、８は、それぞれ一対の接続端子３、３が配設されている点で共通している。一方、第一の収容室７には着脱不能にヒューズ５が予め装着されているが、第二の収容室８には着脱自在にヒューズ６が装着可能に構成されている点で相違している。これについては、図４を用いて説明を後述する。
【００１５】
電線１１は、各収容室７、８の下流側で分岐して、各車載機器９に接続されている。各車載機器９に接続された電線１１には、それぞれヒューズ１０…１０が介装されている。本実施の形態において、各車載機器９は、イグニッションスイッチの操作位置に関わらず常時バッテリ４からの電気の供給を受ける常時作動車載機器である。具体的には、インテリアライト９−１、スポットライト９−２、キーレスエントリー機構９−３、スマートエントリー機構９−４、トランクライト９−５、時計９−６、セキュリティ機構９−６等を備えている。なお、ヒューズ１０…１０を収容する収容室は、第二の収容室８と同様に、ヒューズ１０を着脱可能に構成されているが、この構成については詳細を省略する。
また、収容室７、８下流側で分岐した電線１１は、コネクタ１２にも接続されている。これについても説明は後述する。
【００１６】
図４は図１に示す電気接続箱の概略斜視図である。同図に示すように、第一の収容室７はケーシング２内に埋設されており、第一の収容室７内に収容されているヒューズ５は着脱不能となっている。これに対し、第二の収容室８はケーシング２上面に開口して形成されており、第二の収容室８に収容されるヒューズ６は着脱可能に構成されている。同図には、ヒューズ６を第二の収容室８に仮保持した状態を示している。この状態から、ヒューズ６を開口穴から第二の収容室８に押し込むことによって、装着が完了する。
また、ケーシング２には、第一の収容室７に収容されたヒューズ５に接続された電線１１と、グラウンド（地面）にそれぞれ接続されたコネクタ１２が取り付けられている。このコネクタ１２に、カプラー１３が装着されると、電線１１とグラウンドとが接続される。
【００１７】
このように構成された電気接続箱１を用いた処理について説明する。
まず、図４に示したように、前記第二の収容室８にヒューズ６を未装着（この場合は仮保持）の状態で、前記第一の収容室７に着脱不能に予め装着してなるヒューズ５を介して車載機器９の検査を行う。
【００１８】
そして、車載機器９の検査が完了した後、コネクタ１２にカプラー１３を装着する。これにより、前記第一の収容室７に装着されたヒューズ５に接続された電線１１とグラウンドとが接続されるので、バッテリ４からの電流によりヒューズ５が短絡して溶断して、前記車載機器９と前記バッテリ４との導通が遮断される。
従って、車両製造後の検査以降、車両が長期間保管状態（例えば輸出や輸入等）にあった場合であっても、前記車載機器９に暗電流が流れることを防止できるので、ディーラーに引き渡されたときにもバッテリ４の電力を確保することができる。なお、ディーラーに引き渡された後には、ディーラーで第二の収容室８に仮保持されたヒューズ６を第二の収容室８に押し込んで装着することで、車載機器９と前記バッテリ４との導通を容易に確保させることができる。上述のように、第二の収容室８にヒューズ６を仮保持しておくことで、ヒューズ６の誤組が防止され、簡便な作業で導通の確保を行うことができる。
【００１９】
このように、本実施の形態では、検査用の収容室として第一の収容室７を、恒久用の収容室として第二の収容室８を、暗電流用ヒューズ装着用に別々に設け、かつ、検査後は短絡手段により検査用のヒューズ５を溶断させるので、工程作業者は検査用のヒューズ５を抜き取るといった煩雑な作業から解放されるため、作業負担を低減することができる。さらに、従来のような作業用空間の確保やそれに伴う配策作業が不要となり、車両のレイアウト自由度を向上することができる。
【００２０】
また、前記第一の収容室７は、前記ヒューズ５を高さ方向に埋没させて収容する構成であり、ヒューズ５が外部に露出していないので、ヒューズ５を介した検査を行う前に誤って引き抜かれる虞を防止でき、このヒューズ５を介した車載機器９の検査処理や溶断処理を確実に行うことが可能となる。また、ドライバ等が不用意にヒューズ５の操作を行うといった事態も防止することができる。
【００２１】
さらに、本実施の形態においては、前記第一の収容室７に収容された前記ヒューズ５を電気的に短絡させて溶断するためのコネクタ１２が設けられ、このコネクタ１２を介して前記第一の収容室７に収容されたヒューズ５を溶断することができるので、前記ヒューズ５の溶断を容易かつ確実に行うことが可能となる。
【００２２】
次に、本発明の変形例について図２、図３を用いて説明する。図２は図１に示す電気接続箱を外部用診断機器に接続した状態を示す説明図である。図３は図２に示すコネクタの拡大説明図である。これらの図に示す変形例においては、車両外部に設けられた外部診断機１４を接続するコネクタ２２を、第一の収容室７に収容されたヒューズ５を短絡させて溶断させる手段として用いている。すなわち、図２に示すように、外部診断機１４の備えるカプラー１５にコネクタ２２を接続することで、コネクタ２２を介して車両内の各診断対象機器１７の診断が外部診断機１４により行われる。具体的には、ＳＲＳ（Supplemental Restraint System、乗員保護補助装置）１７−１、ＦＩ（fuel injection、燃料噴射装置）１７−２、ＡＢＳ（Antilock Brake System、アンチロックブレーキシステム）１７−３等がある。
【００２３】
そして、このコネクタ２２は、第一の収容室７に収容されたヒューズ５にも接続されている。従って、図３に示すように、コネクタ２２をカプラー１３に接続して、前記第一の収容室７に収容されたヒューズ５を短絡させることで、ヒューズ５を溶断させることができる。このように、外部診断機１４を接続するコネクタ２２を、ヒューズ５を溶断させる手段として用いることで、溶断用の手段を新たに備える必要がなくなり、その分搭載スペースの低減に寄与することができる。
【００２４】
なお、本発明の内容は実施の形態のみに限定されるものでないことはもちろんである。例えば、実施の形態では、第二の収容室８にヒューズ６を仮保持できる構成としたが、この構成に限られるものではない。また、時計やルームランプ等といったイグニッションスイッチの操作位置に関わらず常時電源からの電気の供給を受ける常時作動車載機器のみがヒューズ５、６に接続される場合について説明したが、これ以外の車載機器がヒューズ５、６に接続される構成であってもよい。
【図面の簡単な説明】
【００２５】
【図１】本発明の一実施形態に係る電気接続箱の回路構成を示す説明図である。
【図２】図１に示す電気接続箱を外部用診断機器に接続した状態を示す説明図である。
【図３】図２に示すコネクタの拡大説明図である。
【図４】図１に示す電気接続箱の概略斜視図である。
【符号の説明】
【００２６】
１…電気接続箱
２…ケーシング（収容容器）
３…接続端子
４…バッテリ（電源）
５…ヒューズ
６…ヒューズ
７…第一の収容室
８…第二の収容室
９…常時作動車載機器（車載機器）
１２、２２…コネクタ
１４…外部診断機
【図１】
2006304434.tif 000003
【図２】
2006304434.tif 000004
【図３】
2006304434.tif 000005
【図４】
2006304434.tif 000006